(57)【要約】【課題】矩形のパネル材の積層体における個々のパネル材への荷重を除去しつつ、その全体を確実に包囲して容易に梱包できるパネル材の梱包装置を提供する。【解決手段】梱包装置１は、架台２、それの四隅に積層される複数のコーナー支持部材３、これを架台２上で支持する下部支持部材４、パネル材の積層体を包囲する側壁体５と蓋体６を有する。コーナー支持部材３は、パネル材Pの外隅角部に当接す直交壁と、この直交壁から水平に延出しパネル材Pの隅部の下面を載せ受ける荷重受け部とを具備する。直交壁は、内側嵌合溝、内向き嵌合片、外側嵌合溝、外向き嵌合片を持ち、それぞれ別のコーナー支持部材３の外向き嵌合片と内側嵌合溝、内向き嵌合片と外側嵌合溝が嵌合可能である。下部支持部材４は、ベース部で架台２上に固着される。係合部がコーナー支持部材３の嵌合片、外側嵌合溝に嵌合する。【選択図】図１
2011178449.tif 000002
【特許請求の範囲】
【請求項１】
矩形板状のパネル材を水平に多数段に積み重ねて梱包するための装置であって、パネル材を載せ受ける架台と、パネル材の四隅の外側に直立するように複数が前記架台上に上下に積み重ねられて積層柱を形成しそれぞれが各パネル材の四隅を載せ受ける複数のコーナー支持部材と、積層されるコーナー支持部材のうち最下部のものに係合してこのコーナー支持部材を架台上に係止するように架台上に固着される下部支持部材と、架台上に積み重ねられたパネル材の積層体の４側面を覆うように架台上に立て置かれる４つの側壁体と、架台上に立て置かれる４つの側壁体の上縁に係合してパネル材積層体の上面を覆う蓋体とを具備し、
前記コーナー支持部材は、水平に配置される前記パネル材の外隅角部に当接するように起立する直交壁と、この直交壁から水平に延出しパネル材の隅部の下面を載せ受ける荷重受け部とを具備し、
前記コーナー支持部材の直交壁は、前記パネル材の外隅角部に当接する直角の内側面と、この内側面と平行な直角の外側面と、平らで互いに平行な上下面と、内側面の上部に開放し水平に延びる内側嵌合溝と、この内側嵌合溝と上面との間に画成される内向き嵌合片と、外側面の下部に開放し水平に延びる外側嵌合溝と、この外側嵌合溝と下面との間に画成される外向き嵌合片とを備え、外向き嵌合片は下方に配置される他のコーナー支持部材の内側嵌合溝とまた内向き嵌合片は上方に配置される他のコーナー支持部材の外側嵌合溝とそれぞれ水平方向に嵌合可能に設けられ、
前記荷重受け部は、前記直交壁の内側嵌合溝の下方に前記パネル材の厚さ寸法より大なる間隔をおいて直交壁の内側面から水平に延出し、
前記下部支持部材は、前記架台上に固着されるベース部と、このベース部から起立し前記コーナー支持部材の外側面に沿うように延びる係合部とを具備し、この係合部は、コーナー支持部材の外向き嵌合片が水平方向に嵌合する嵌合凹部と、外側嵌合溝へ水平方向に嵌合する嵌合突部とを備えることを特徴とするパネル材の梱包装置。
【請求項２】
前記側壁体がパネル材の積層体から離れないように当該側壁体の下部を架台に係止するためのストッパが、前記架台上に固着されることを特徴とする請求項１に記載のパネル材の梱包装置。
【請求項３】
前記側壁体は、接続分離可能な上部材と下部材とを具備し、前記架台上に立て置かれる４つの下部材の内側に、側壁体の上部材と、コーナー支持部材とを収容し、下部材の上縁に蓋体を嵌合可能に構成されることを特徴とする請求項１に記載のパネル材の梱包装置。
【発明の詳細な説明】
【技術分野】
【０００１】
この発明は、太陽電池モジュールのような矩形のパネル材を、個々のパネル材に荷重がかからないように、水平に多数積み重ねて梱包するための装置に関する。
【背景技術】
【０００２】
例えば太陽電池モジュールについては、これを製造工場から設置現場まで搬送し、あるいは保管する際に、外力による損傷を受けることがないように保護しつつ、コンパクトに梱包することが求められている。
一方、設置現場においては、梱包材の処理に大きな労力を要することが問題となっており、また包装資材の使い捨てによる資源の浪費が指摘されている。
このような課題を解決するため、水平に積み重ねられる太陽電池モジュールを確実に保管するモジュール方式の差込みシステムが特許文献１に提案されている。このシステムにおいては、合成樹脂の一体成型により安価に製造できる小型で安定的な個別要素である成形品部材を積み重ねて荷重除去柱を形成する。個々の成形品部材の各々は、内側に光起電力モジュール用載置装置としての荷重受止め支持異形材と、上側又は下側に１つ又は複数のほぞ又はさねと、下側又は上側に、ほぞを精確なはまり合いで受入れる１つ又は複数の開いた空所又はさねを受入れる溝とを持っている。各成形品部材が個々のモジュールの荷重を支持するから、高い積み重ね高さでも確定な輸送を保証し、一番下にあるモジュールの損傷の危険を除くことができる。ボール箱によるモジュールの個別包装を不要にし、包装費用を全体として必要な最小値に減少し、また個別成形品部材はモジュール製造者へ送り返され、多数の流通で再び使用されることができるというものである。
【先行技術文献】
【特許文献】
【０００３】
【特許文献１】特開２００６−３２９７８号公報
【発明の概要】
【発明が解決しようとする課題】
【０００４】
上記従来の梱包装置においては、パレットの四隅に、成形品部材を積み重ねて形成される荷重除去柱は、多数の太陽電池モジュールの積層体をその四隅において支持する柱としては、それだけでは十分な安定性がない。また、積み重ねた太陽電池モジュールへの塵埃の付着等を防止するため、梱包用の追加的な資材が必要である。このため、一般に、積み重ねた太陽電池モジュール全体に、荷重除去柱もろともストレッチフィルムを巻き付けて被覆すると同時に、プラスチックバンドで締め付けて四方の荷重除去柱の不安定性を補うことが行われる。これらの追加的梱包資材は設置現場で廃棄物となる。パレットは、荷重除去柱を構成する成形品部材と別個に回収されることになるが、返却時に別梱包となり、不便である等の問題点がある。
これらの問題点は、太陽電池モジュールに限らず、これと同程度の慎重な取り扱いが求められる他の矩形のパネル材の梱包装置に共通である。
したがって、この出願に係る発明は、太陽電池モジュールのような矩形のパネル材の積層体における個々のパネル材への荷重を除去しつつ、その全体を確実に包囲して汚染や損傷から保護することができ、再使用により資源の節約が図れ、再使用のための最終使用現場からの回収が容易な矩形のパネル材の梱包装置を提供することを目的としている。
【課題を解決するための手段】
【０００５】
以下、添付図面の符号を参照して説明するが、本発明はこれに限定されるものではない。
上記課題を解決するための、この出願に係る発明のパネル材Pの梱包装置１は、架台２と、パネル材Pの四隅の外側に直立するように複数が架台２上に上下に積み重ねられて積層柱７を形成し、それぞれが各パネル材Pの四隅を載せ受ける複数のコーナー支持部材３と、積層されるコーナー支持部材３のうち最下部のものに係合してこのコーナー支持部材３を架台２上に係止するように架台２上に固着される下部支持部材４と、架台２上のパネル材積層体の４側面を覆うように架台２上に立て置かれる４つの側壁体５と、これら４つの側壁体５の上縁に係合してパネル材積層体の上面を覆う蓋体６とを具備する。コーナー支持部材３は、パネル材Pの外隅角部に当接するように起立する直交壁８と、この直交壁８から水平に延出しパネル材Pの隅部の下面を載せ受ける荷重受け部９とを具備する。直交壁８は、直角の内側面８１と外側面８２、平な上下面８３，８４を有し、内側面８１の上部には、水平に延びる内側嵌合溝８５が開放し、これと上面８３との間に内向き嵌合片８６が形成される。外側面８２の下部には、水平に延びる外側嵌合溝８７が開放し、これと下面８４との間に外向き嵌合片８６が形成される。外向き嵌合片８６は下方の他のコーナー支持部材３の内側嵌合溝８５と、また内向き嵌合片８６は上方の他のコーナー支持部材３の外側嵌合溝８７とそれぞれ水平方向に嵌合可能である。荷重受け部９は、直交壁８の内側嵌合溝８５の下方にパネル材Pの厚さ寸法より大なる間隔をおいて直交壁８の内側面８１から水平に延出する。下部支持部材４は、架台２上に固着されるベース部４１と、このベース部４１から起立する係合部４２とを具備する。係合部４２は、コーナー支持部材３の外側面８２に沿うように延び、コーナー支持部材３の外向き嵌合片８８が水平方向に嵌合する嵌合凹部４７と、外側嵌合溝８７へ水平方向に嵌合する嵌合突部４８とを備える。
【発明の効果】
【０００６】
この出願に係る発明によれば、積み重ねられる矩形のパネル材における個々のパネル材への荷重を除去しつつ、その全体を確実に包囲して汚染や損傷から保護することができ、再使用により資源の節約が図れ、再使用のための最終使用現場からの回収が容易な矩形のパネル材の梱包装置を提供することができる。
【図面の簡単な説明】
【０００７】
【図１】本発明に係る梱包装置の概略的分解斜視図である。
【図２】本発明に係る梱包装置による梱包状態の概略的斜視図である。
【図３】本発明に係る梱包装置の一部の概略的斜視図である。
【図４】本発明に係る梱包装置の一部の概略的斜視図である。
【図５】本発明に係る梱包装置の使用状態の一部の平面図である。
【図６】本発明に係る梱包装置の使用状態の一部の正面図である。
【図７】本発明に係る梱包装置の回収時の状態を示す概略的斜視図である。
【図８】本発明に係る梱包装置の回収時の状態を示す一部の断面図である。
【発明を実施するための形態】
【０００８】
図面を参照してこの発明の実施の形態を説明する。
図１に示すように、パネル材Pの梱包装置１は、架台２と、架台２の四隅に柱状に積み重ねられる複数のコーナー支持部材３と、コーナー支持部材３を支持する下部支持部材４と、架台２上のパネル材積層体の４側面を覆うように架台上２に立て置かれる４つの側壁体５と、側壁体５の上縁に係合してパネル材積層体の上面を覆う蓋体６とを具備する。側壁体５と蓋体６とは、面ファスナ付きのバンド６１で結合される。
【０００９】
架台２は、その上に水平に積み重ねられる多数のパネル材Ｐを載せ受ける。下部支持部材４は、架台２上に置かれるパネル材Pの四隅の外側に位置するように、架台２上に固着される。コーナー支持部材３は、最下部のものが下部支持部材４に係合し、複数が架台２上に上下に積み重なって積層柱７を形成し、それぞれが各パネル材Ｐの四隅を載せ受ける。
【００１０】
図４に示すように、コーナー支持部材３は、水平に配置されるパネル材Pの外隅角部に当接するように起立する直交壁８と、この直交壁８から水平に延出し、パネル材Pの隅部の下面を載せ受ける荷重受け部９とを具備する。
【００１１】
直交壁８は、パネル材Pの外隅角部に当接する直角の内側面８１と、この内側面８１と平行な直角の外側面８２と、平らで互いに平行な上下面８３，８４とを具備する。水平に延びる内側嵌合溝８５が、内側面８１の上部に開放している。この内側嵌合溝８５と上面８３との間に内向き嵌合片８６が画成される。水平に延びる外側嵌合溝８７が、外側面８２の下部に開放している。この外側嵌合溝８７と下面８４との間に外向き嵌合片８８が画成される。図６に示すように、外向き嵌合片８８は、下方に配置される他のコーナー支持部材３の内側嵌合溝８５と、また内向き嵌合片８６は、上方に配置される他のコーナー支持部材３の外側嵌合溝８７とそれぞれ水平方向に嵌合可能である。
【００１２】
コーナー支持部材３の荷重受け部９は、直交壁８の内側嵌合溝８５の下方にパネル材Pの厚さ寸法より大なる間隔をおいて内側面８１から水平に延出する。
【００１３】
図４に示すように、下部支持部材４は、架台２上に固着される板状のベース部４１と、ベース部４１の外縁に形成される係合部４２とを具備する。係合部４２は、起立片４３と、内向き延出片４４と、屈折片４５とからなり、これらにより嵌合凹部４７と嵌合突部４８とが形成される。ベース部４１は、架台２上に配置されるパネル材Pの隅角と平行になる外側直交辺４６を有し、起立片４３が、この直交辺４２から直角に起立する。内向き延出片４４は、起立片４３の上縁から水平に延出し、先端に、直角に起立する屈折片４５を有する。内向き延出片４４と屈折片４５とで嵌合突部４８が形成され、内向き延出片４４とベース部４１との間に嵌合凹部４７が形成される。図６に示すように、嵌合凹部４７には、コーナー支持部材３の外向き嵌合片８８が水平方向に嵌合する。嵌合突部４８は、コーナー支持部材３の外側嵌合溝８７へ水平方向に嵌合する。
【００１４】
架台２上には、側壁体５がパネル材Pの積層体から離れないように、当該側壁体５の下部を架台２に係止するためのストッパ１０がさらに固着される。ストッパ１０は、アングル鋼材のような断面L字状の金具で構成され、パネル材積層体の側面から側壁体５の厚さ寸法に対応する間隔を置いて、パネル材積層体の側面に沿うように、架台２上に配置される。広く知られるように、側壁体５同士が端縁で互いに結合可能に構成される場合には、ストッパ１０を省略することもできる。
【００１５】
側壁体５は、接続分離が可能な上部材５１と下部材５２とからなる。パネル材Pの荷下ろしが完了したら、架台２上に４つの下部材５２を立て置いた内側に、側壁体の上部材５１と、個々に分解したコーナー支持部材３とを収容し、下部材５１の上に蓋体６を被せ、バンド６１で架台２と結合して小型化し、再使用のために持ち帰ることができる。
【００１６】
パネル材Pを梱包する場合、架台２の四隅の下部支持部材４に４つのコーナー支持部材３を嵌め合わせ、架台２上に配置する。架台２上に置かれた４つのコーナー支持部材３の荷重受け部９上に、四隅を配置するようにパネル材Pを置く。パネル材Pの四隅の２側面は、直交壁８の内側面８１に接近して対向し、その水平方向の位置が規制される。この状態で、内側嵌合溝８５は、パネル材Pの上面よりわずかに上位にある。次いで、当該コーナー支持部材３に、別のコーナー支持部材３を水平方向に嵌め合わせ、上に積み重ねる。このコーナー支持部材３の荷重受け部９上に別のパネル材Ｐを置き、順次コーナー支持部材３とパネル材Ｐを交互に重ねていく。積層されたコーナー支持部材３は、それぞれがパネル材Pを支持しつつ、垂直の積層柱７を形成する。最下部のコーナー支持部材３が下部支持部材４によって支持され、かつ個々のコーナー支持部材３同士が嵌合溝８５，８７と嵌合片８７，８８により確実に結合されるので、位置ずれしたり、転倒したりするおそれがない。所定枚数のパネル材Ｐが積み終わったら、側壁体５を積み重ねられたパネル材Ｐの４側面を被覆するように立て置く。次いで、蓋体６を被せ、バンド６１で側壁体５と結合することによって梱包作業が完了する。なお、図示しないが、必要に応じ、側壁体５と蓋体６の外側から全体に締め付けバンドを掛けて結束することができる。
【００１７】
上記のように梱包されたパネル材Ｐが使用現場等に搬送される。梱包を解いて、パネル材Ｐがすべて取り出されたら、図８に示すように、架台２上に側壁体５の４つの下部材５２を立て置き、その内側に、側壁体の４つの上部材５１と、個々に分解した多数のコーナー支持部材３とを収容し、その上に蓋体６を被せ、バンド６１で架台２と結合してコンパクトに梱包し、再使用のためにパネル材の製造業者等の元へ確実に返送することができる。
【符号の説明】
【００１８】
１    梱包装置
２    架台
３    コーナー支持部材
４    下部支持部材
４１  ベース部
４２  係合部
４３  起立片
４４  内向き延出片
４５  屈折片
４６  直交片
４７  嵌合凹部
４８  嵌合突部
５    側壁体
５１  上部材
５２  下部材
６    蓋体
６１  バンド
７    積層柱
８    直交壁
８１  内側面
８２  外側面
８３  上面
８４  下面
８５  内側嵌合溝
８６  内向き嵌合片
８７  外側嵌合溝
８８  外向き嵌合片
９    荷重受け部
１０  ストッパ
Ｐ    パネル材
【図１】
2011178449.tif 000003
【図２】
2011178449.tif 000004
【図３】
2011178449.tif 000005
【図４】
2011178449.tif 000006
【図５】
2011178449.tif 000007
【図６】
2011178449.tif 000008
【図７】
2011178449.tif 000009
【図８】
2011178449.tif 000010